(57)【要約】【課題】  小型化および高性能化を実現することが可能な有機発光装置を提供する。【解決手段】  有機層１６３から発生した白色光を下部電極層１６１Ｒ，１６１Ｇ，１６１Ｂと上部電極層１６４との間において共振させたのちにその上部電極層１６４を通じてそれぞれ赤色光ＨＲ、緑色光ＨＧおよび青色光ＨＢとして放出する赤色有機ＥＬ素子１６Ｒ、緑色有機ＥＬ素子１６Ｇおよび青色有機ＥＬ素子１６Ｂを備える場合に、緑色有機ＥＬ素子１６Ｇのうちの下部電極層１６１Ｇの反射率Ｓ１Ｇが赤色有機ＥＬ素子１６Ｒのうちの下部電極層１６１Ｒの反射率Ｓ１Ｒよりも小さくなっている（Ｓ１Ｇ＜Ｓ１Ｒ）。光学的距離ＬＧのばらつきに起因して緑色光ＨＧの色度がばらつきにくくなるため、緑色光ＨＧの色度が安定化する。しかも、カラーフィルタを使用しなくても緑色光ＨＧの色度が安定化するため、そのカラーフィルタを搭載する必要がない。【選択図】    図２
2006278258.tif 000002
【特許請求の範囲】
【請求項１】
第１の電極層と第２の電極層との間に発光層を含む層が設けられた構造を有し、前記発光層から発生した光を前記第１の電極層と前記第２の電極層との間において共振させたのちにその第２の電極層を通じてそれぞれ赤色の光、緑色の光および青色の光として放出する赤色有機発光素子、緑色有機発光素子および青色有機発光素子を備え、
前記発光層を含む層が、その発光層から前記赤色有機発光素子、前記緑色有機発光素子および前記青色有機発光素子の間において共通の色の光を発生させると共に、それらの赤色有機発光素子、緑色有機発光素子および青色有機発光素子により共有されており、
前記第１の電極層と前記第２の電極層との間の距離が、前記赤色有機発光素子、前記緑色有機発光素子および前記青色有機発光素子からそれぞれ放出される光の色に応じて、それらの赤色有機発光素子、緑色有機発光素子および青色有機発光素子の間において互いに異なっており、
前記緑色有機発光素子のうちの前記第１の電極層の反射率が、前記赤色有機発光素子のうちの前記第１の電極層の反射率よりも小さくなっている
ことを特徴とする有機発光装置。
【請求項２】
前記緑色有機発光素子のうちの前記第１の電極層および前記赤色有機発光素子のうちの前記第１の電極層が、互いに同一の材料により構成されていると共に、互いに異なる厚さを有している
ことを特徴とする請求項１記載の有機発光装置。
【請求項３】
前記緑色有機発光素子のうちの前記第１の電極層および前記赤色有機発光素子のうちの前記第１の電極層が、アルミニウム（Ａｌ）、アルミニウムを含む合金、銀（Ａｇ）または銀を含む合金により構成されている
ことを特徴とする請求項２記載の有機発光装置。
【請求項４】
前記緑色有機発光素子のうちの前記第１の電極層および前記赤色有機発光素子のうちの前記第１の電極層が、互いに異なる材料により構成されている
ことを特徴とする請求項１記載の有機発光装置。
【請求項５】
前記緑色有機発光素子のうちの前記第１の電極層が、タングステン（Ｗ）、クロム（Ｃｒ）、モリブデン（Ｍｏ）、チタン（Ｔｉ）、タンタル（Ｔａ）、ニオブ（Ｎｂ）またはニッケル（Ｎｉ）により構成されており、
前記赤色有機発光素子のうちの前記第１の電極層が、アルミニウム（Ａｌ）、アルミニウムを含む合金、銀（Ａｇ）または銀を含む合金により構成されている
ことを特徴とする請求項４記載の有機発光装置。
【請求項６】
前記第２の電極層が、銀（Ａｇ）または銀を含む合金により構成された単層構造を有している
ことを特徴とする請求項１記載の有機発光装置。
【請求項７】
前記第２の電極層が、互いに異なる材料により構成された積層構造を有している
ことを特徴とする請求項１記載の有機発光装置。
【請求項８】
前記第２の電極層が、前記第１の電極層に近い側から順に、マグネシウム（Ｍｇ）および銀（Ａｇ）を含む合金により構成された層と、銀または銀を含む合金により構成された層とが積層された２層構造を有している
ことを特徴とする請求項７記載の有機発光装置。
【請求項９】
前記第１の電極層の反射率が、６０％以上である
ことを特徴とする請求項１記載の有機発光装置。
【請求項１０】
前記赤色有機発光素子のうちの前記第１の電極層の反射率に対する前記緑色有機発光素子のうちの前記第１の電極層の反射率の差異が、１０％以上である
ことを特徴とする請求項９記載の有機発光装置。
【請求項１１】
前記第２の電極層の反射率が、５０％以上である
ことを特徴とする請求項１記載の有機発光装置。
【請求項１２】
前記第１の電極層と前記第２の電極層との間の距離が、前記赤色有機発光素子よりも前記緑色有機発光素子において小さくなっている
ことを特徴とする請求項１記載の有機発光装置。
【請求項１３】
前記赤色有機発光素子、前記緑色有機発光素子および前記青色有機発光素子において、前記第１の電極層と前記第２の電極層との間の距離が下記に示した関係式を満たしている
ことを特徴とする請求項１記載の有機発光装置。
（２Ｌ）／λ＋Φ／（２π）＝ｍ
（ただし、「Ｌ」は第１の電極層と第２の電極層との間の距離（光学的距離）、「λ」は赤色有機発光素子、緑色有機発光素子および青色有機発光素子からそれぞれ放出される光のスペクトルのピーク波長、「Φ」は発光層から発生した光が第１の電極層および第２の電極層において反射する際に生じる位相シフト、「ｍ」は０または整数をそれぞれ表している。）
【請求項１４】
前記赤色有機発光素子において、前記関係式中のｍがｍ＝０の条件を満たしている
ことを特徴とする請求項１３記載の有機発光装置。
【発明の詳細な説明】
【技術分野】
【０００１】
本発明は、有機エレクトロルミネセンス（ＥＬ；Electro Luminescence）現象を利用した有機発光装置に関する。
【背景技術】
【０００２】
近年、フラットパネルディスプレイの１つとして、有機ＥＬ現象を利用して画像を表示するディスプレイ（いわゆる有機ＥＬディスプレイ）が注目されている。この有機ＥＬディスプレイは、有機ＥＬ素子の発光現象を利用して画像を表示する自発光型のディスプレイであるため、視野角が広く、かつ消費電力が小さい点において優れている。
【０００３】
有機ＥＬディスプレイは、主に、駆動パネルおよび封止パネルが互いに対向配置され、それらの駆動パネルおよび封止パネルが接着層を介して互いに貼り合わされた構造を有している。駆動パネルは、基板の一面に、駆動用の複数の薄膜トランジスタ（ＴＦＴ；Thin Film Transistor）や画像表示用の複数の有機ＥＬ素子などが設けられたものである。この有機ＥＬ素子は、下部電極層と上部電極層との間に発光層を含む層が設けられた構造を有しており、その発光層を含む層は、光の発生源としての発光層と共に正孔輸送層や電子輸送層などを含んでいる。
【０００４】
この有機ＥＬディスプレイに関しては、表示性能を向上させることを目的として、既にいくつかの態様が提案されている。
【０００５】
具体的には、例えば、光反射性の下部電極層および光半透過性の上部電極層を含むように有機ＥＬ素子が構成されており、発光層から発生した光を下部電極層と上部電極層との間において反射させることにより共振させたのちに放出する（いわゆる光共振機能を有する）有機ＥＬディスプレイが知られている（例えば、特許文献１参照。）。この光共振機能を担う有機ＥＬ素子の素子構造は、一般に「共振器構造」と呼ばれており、一種の狭帯域フィルタとして機能するものである。この共振器構造を有する有機ＥＬ素子を備えた有機ＥＬディスプレイでは、例えば、互いに異なる色（例えば赤色、緑色および青色）の光を放出する複数の有機ＥＬ素子の間において、下部電極層と上部電極層との間の距離（いわゆる光学的距離）が互いに異なっており、具体的には各有機ＥＬ素子の光学的距離が各色の波長に応じて設定されている。この種の有機ＥＬディスプレイでは、共振器構造の光共振作用に基づいて各色ごとに光の放出効率が向上するため、その各色ごとに色純度が向上する。
【特許文献１】特開２００３−１４２２７７号公報
【０００６】
また、例えば、上記した共振器構造を有する有機ＥＬ素子を備えた有機ＥＬディスプレイとしては、互いに異なる色（例えば赤色、緑色および青色）の光を放出する複数の有機ＥＬ素子に対応して配置され、その光の各色に対応した色（例えば赤色、緑色および青色）のフィルタ領域を有するカラーフィルタを備えた有機ＥＬディスプレイが知られている（例えば、特許文献２参照。）。この種の有機ＥＬディスプレイでは、各有機ＥＬ素子から放出された光がカラーフィルタを経由して放出されるため、各色の色純度が向上すると共に、有機ＥＬディスプレイの内部において発生した反射光がカラーフィルタに吸収されるため、コントラストが確保される。
【特許文献２】国際公開第ＷＯ０１／３９５５４号パンフレット
【発明の開示】
【発明が解決しようとする課題】
【０００７】
ところで、最近では、有機ＥＬディスプレイの実用性が広く認知されたことに伴い、モニタなどの大型ディスプレイに限らず、ビューファインダなどに代表される小型ディスプレイ、より具体的には数μｍの画素ピッチが要求される小型ディスプレイにまで有機ＥＬディスプレイを適用する試みが検討されている。この場合には、有機ＥＬディスプレイを小型ディスプレイに適用する上で、例えば、外形サイズや表示性能の観点において現行の液晶ディスプレイと差別化するために、ディスプレイサイズを可能な限り小型化しつつ、表示性能を可能な限り高性能化する必要がある。
【０００８】
しかしながら、従来の有機ＥＬディスプレイでは、市場の要求に応じた小型化および高性能化を実現する観点において未だ十分とは言えないため、多分に改善の余地がある。したがって、有機ＥＬディスプレイの有用性を証明することにより市場普及を図るために、有機ＥＬディスプレイの小型化および高性能化を実現することが可能な技術の確立が望まれている。
【０００９】
本発明はかかる問題点に鑑みてなされたもので、その目的は、小型化および高性能化を実現することが可能な有機発光装置を提供することにある。
【課題を解決するための手段】
【００１０】
本発明に係る有機発光装置は、第１の電極層と第２の電極層との間に発光層を含む層が設けられた構造を有し、発光層から発生した光を第１の電極層と第２の電極層との間において共振させたのちにその第２の電極層を通じてそれぞれ赤色の光、緑色の光および青色の光として放出する赤色有機発光素子、緑色有機発光素子および青色有機発光素子を備え、発光層を含む層が、その発光層から赤色有機発光素子、緑色有機発光素子および青色有機発光素子の間において共通の色の光を発生させると共にそれらの赤色有機発光素子、緑色有機発光素子および青色有機発光素子により共有されており、第１の電極層と第２の電極層との間の距離が、赤色有機発光素子、緑色有機発光素子および青色有機発光素子からそれぞれ放出される光の色に応じてそれらの赤色有機発光素子、緑色有機発光素子および青色有機発光素子の間において互いに異なっており、緑色有機発光素子のうちの第１の電極層の反射率が、赤色有機発光素子のうちの第１の電極層の反射率よりも小さくなっているものである。
【００１１】
本発明に係る有機発光装置では、発光層から発生した共通の光を第１の電極層と第２の電極層との間において共振させたのちにその第２の電極層を通じてそれぞれ赤色の光、緑色の光および青色の光として放出する赤色有機発光素子、緑色有機発光素子および青色有機発光素子を備える場合に、緑色有機発光素子のうちの第１の電極層の反射率が赤色有機発光素子のうちの第１の電極層の反射率よりも小さくなっているため、緑色有機発光素子のうちの第１の電極層の反射率が赤色有機発光素子のうちの第１の電極層の反射率以上である場合と比較して、第１の電極層と第２の電極層との間の距離（いわゆる光学的距離）のばらつきに起因して緑色の光の色度がばらつきにくくなり、すなわち緑色の光の色度が安定化する。この場合には、例えば、共振条件として（２Ｌ）／λ＋Φ／（２π）＝ｍの関係式（「Ｌ」は第１の電極層と第２の電極層との間の距離（光学的距離）、「λ」は赤色有機発光素子、緑色有機発光素子および青色有機発光素子から放出される光のスペクトルのピーク波長、「Φ」は発光層から発生した光が第１の電極層および第２の電極層において反射する際に生じる位相シフト、「ｍ」は０または整数をそれぞれ表している。）が成立している場合に、赤色有機発光素子において上記した関係式中のｍの値がｍ＝０の条件を満たしていれば、そのｍの値を最小に設定した場合においても赤色有機発光素子において十分な共振作用が得られるため、その赤色有機発光素子から放出される赤色の光の色度が向上する。しかも、この場合には、カラーフィルタを使用しなくても緑色の光の色度が安定化すると共に赤色の光の色純度が向上するため、そのカラーフィルタを搭載する必要がない。
【発明の効果】
【００１２】
本発明に係る有機発光装置によれば、発光層から発生した共通の色の光を第１の電極層と第２の電極層との間において共振させたのちにその第２の電極層を通じてそれぞれ赤色の光、緑色の光および青色の光として放出する赤色有機発光素子、緑色有機発光素子および青色有機発光素子を備える場合に、緑色有機発光素子のうちの第１の電極層の反射率が赤色有機発光素子のうちの第１の電極層の反射率よりも小さくなっている構造的特徴に基づき、緑色の光の色度が安定化する。この場合には、例えば、赤色有機発光素子の共振条件（ｍの値）を適正化することにより（ｍ＝０）、赤色の光の色純度が向上する。しかも、この場合には、カラーフィルタを使用しなくても緑色の光の色度が安定化すると共に赤色の光の色純度が向上するため、そのカラーフィルタを搭載しない分だけサイズが小さくなる。したがって、外形サイズを小さくした場合においても画像の表示性能が確保されるため、小型化および高性能化を実現することができる。
【発明を実施するための最良の形態】
【００１３】
以下、本発明の実施の形態について、図面を参照して詳細に説明する。
【００１４】
まず、図１〜図３を参照して、本発明の一実施の形態に係る有機発光装置としての有機ＥＬディスプレイの構成について説明する。図１は、有機ＥＬディスプレイの断面構成を表している。また、図２および図３は、図１に示した有機ＥＬディスプレイのうちの主要部の断面構成を拡大して模式的に表しており、図２は赤色有機ＥＬ素子１６Ｒ，緑色有機ＥＬ素子１６Ｇ，青色有機ＥＬ素子１６Ｂを示し、図３は有機層１６３を示している。
【００１５】
本実施の形態に係る有機ＥＬディスプレイは、有機ＥＬ現象を利用して画像を表示するものであり、例えば、図１に示したように、画像表示用の光Ｈとして互いに異なる３色の光、すなわち赤色（Ｒ；Red ）の光（赤色光）ＨＲ、緑色（Ｇ；Green ）の光（緑色光）ＨＧおよび青色（Ｂ；Blue）の光（青色光）ＨＢをそれぞれ放出する３つの有機ＥＬ素子１６（赤色有機ＥＬ素子１６Ｒ，緑色有機ＥＬ素子１６Ｇ，青色有機ＥＬ素子１６Ｂ）を備えている。より具体的には、有機ＥＬディスプレイは、駆動パネル１０および封止パネル２０が互いに対向配置され、それらの駆動パネル１０および封止パネル２０が接着層３０を介して互いに貼り合わされた構造を有している。この有機ディスプレイは、例えば、画像表示用の光Ｈを上方、すなわち封止パネル２０を経由して外部へ放出することにより画像を表示するトップエミッション型構造を有している。
【００１６】
駆動パネル１０は、例えば、駆動用基板１１の一面に、薄膜トランジスタ（ＴＦＴ）１２と、層間絶縁層１３と、駆動配線１４と、平坦化絶縁層１５と、上記した有機ＥＬ素子１６（赤色有機ＥＬ素子１６Ｒ，緑色有機ＥＬ素子１６Ｇ，青色有機ＥＬ素子１６Ｂ）、補助配線１７および層内絶縁層１８と、保護層１９とがこの順（駆動用基板１１に近い側から順）に積層された積層構造を有している。
【００１７】
駆動用基板１１は、ＴＦＴ１２や有機ＥＬ素子１６などの一連の構成部品を支持するものであり、例えば、シリコン（Ｓｉ）やプラスチックなどの非光透過性絶縁性材料により構成されている。
【００１８】
ＴＦＴ１２は、有機ＥＬ素子１６を駆動させることにより発光させるものであり、例えば、駆動用基板１１の一面に複数個に渡ってマトリクス状に配列されている。このＴＦＴ１２は、層間絶縁層１３に設けられたコンタクトホール（図示せず）を通じて駆動配線１４と電気的に接続されている。なお、ＴＦＴ１２の構造は、特に限定されず、例えば、ボトムゲート型構造であってもよいし、あるいはトップゲート型構造であってもよい。
【００１９】
層間絶縁層１３は、ＴＦＴ１２を周囲から電気的に分離するものであり、例えば、酸化ケイ素（ＳｉＯ2 ）やＰＳＧ（phospho-silicate glass）などの絶縁性材料により構成されている。この層間絶縁層１３は、例えば、ＴＦＴ１２およびその周辺の駆動用基板１１を覆うように配設されている。
【００２０】
駆動配線１４は、信号線として機能することにより有機ＥＬ素子１６を駆動させるものであり、例えば、アルミニウム（Ａｌ）やアルミニウム銅合金（ＡｌＣｕ）などの導電性材料により構成されている。この駆動配線１４は、平坦化絶縁層１５に設けられたコンタクトホール（図示せず）を通じて有機ＥＬ素子１６と電気的に接続されている。なお、駆動配線１４は、例えば、各ＴＦＴ１２ごとに２つずつ（ゲート信号線，ドレイン信号線）設けられており、上記したように、ＴＦＴ１２と電気的に接続されている。
【００２１】
平坦化絶縁層１５は、ＴＦＴ１２および駆動配線１４と有機ＥＬ素子１６との間を電気的に分離すると共に、その有機ＥＬ素子１６が配置される下地を平坦化するものであり、例えば、酸化ケイ素（ＳｉＯ2 ）などの絶縁性材料により構成されている。なお、図１には図示していなが、平坦化絶縁層１５中には、例えば、ＴＦＴ１２を駆動させるためのキャパシタや、駆動配線１４と有機ＥＬ素子１６との間を電気的に接続させるための多階層の配線などが埋設されている。
【００２２】
有機ＥＬ素子１６は、有機ＥＬ現象を利用して画像表示用の光Ｈを放出する有機発光素子であり、例えば、上記したように、赤色光ＨＲ（例えば、波長＝約６３０ｎｍ）を放出する赤色有機ＥＬ素子１６Ｒと、緑色光ＨＧ（例えば、波長＝５３０ｎｍ）を放出する緑色有機ＥＬ素子１６Ｇと、青色光ＨＢ（例えば、波長＝４６０ｎｍ）を放出する青色有機ＥＬ素子１６Ｂとを含んでいる。なお、赤色有機ＥＬ素子１６Ｒ、緑色有機ＥＬ素子１６Ｇおよび青色有機ＥＬ素子１６Ｂは、それらの赤色有機ＥＬ素子１６Ｒ、緑色有機ＥＬ素子１６Ｇおよび青色有機ＥＬ素子１６Ｂを１組として、ＴＦＴ１２の配列パターンに対応して複数組に渡ってマトリクス状に配列されている。
【００２３】
この有機ＥＬ素子１６（赤色有機ＥＬ素子１６Ｒ，緑色有機ＥＬ素子１６Ｇ，青色有機ＥＬ素子１６Ｂ）は、例えば、図１に示したように、下部電極層１６１Ｒ，１６１Ｇ，１６１Ｂおよび上部電極層１６４の間に有機層１６３が設けられた構造を有しており、より具体的には、下部電極層１６１Ｒ，１６１Ｇ，１６１Ｂと、透明導電層１６２Ｒ，１６２Ｇ，１６２Ｂと、有機層１６３と、上部電極層１６４とがこの順（平坦化絶縁層１５に近い側から順）に積層された積層構造を有している。特に、赤色有機ＥＬ素子１６Ｒ、緑色有機ＥＬ素子１６Ｇおよび青色有機ＥＬ素子１６Ｂは、有機層１６３から発生した光を下部電極層１６１Ｒ，１６１Ｇ，１６１Ｂと上部電極層１６４との間において反射させることにより共振させる共振器構造を有しており、いずれも一種の狭帯域フィルタとして機能するものである。下部電極層１６１Ｒ，１６１Ｇ，１６１Ｂと上部電極層１６４との間の距離（光学的距離）は、上記した共振器構造の共振特性に寄与する因子であり、例えば、下記の関係式（１）の関係を満たしている。
（２Ｌ）／λ＋Φ／（２π）＝ｍ・・・（１）
（ただし、「Ｌ」は下部電極層１６１Ｒ，１６１Ｇ，１６１Ｂと上部電極層１６４との間の光学的距離、「λ」は赤色有機ＥＬ素子１６Ｒ、緑色有機ＥＬ素子１６Ｇおよび青色有機ＥＬ素子１６Ｂから放出される光のスペクトルのピーク波長、「Φ」は有機層１６３から発生した光が下部電極層１６１Ｒ，１６１Ｇ，１６１Ｂおよび上部電極層１６４において反射する際に生じる位相シフト、「ｍ」は０または整数をそれぞれ表している。）
【００２４】
より詳細には、便宜上、赤色有機ＥＬ素子１６Ｒ、緑色有機ＥＬ素子１６Ｇおよび青色有機ＥＬ素子１６Ｂの積層構造を互いに分離すると、それらの赤色有機ＥＬ素子１６Ｒ、緑色有機ＥＬ素子１６Ｇおよび青色有機ＥＬ素子１６Ｂの積層構造は、図２に示したように示される。
【００２５】
すなわち、赤色有機ＥＬ素子１６Ｒは、下部電極層１６１Ｒ（厚さＫＲ）と、透明導電層１６２Ｒ（厚さＤＲ）と、有機層１６３（厚さＹＲ）と、上部電極層１６４（厚さＪＲ）とがこの順に積層された積層構造を有している。この赤色有機ＥＬ素子１６Ｒは、例えば、赤色光ＨＲを放出するための共振器構造を有しており、より具外的には、有機層１６３から発生した光を下部電極層１６１Ｒと上部電極層１６４との間において共振させたのちに上部電極層１６４を通じて赤色光ＨＲとして放出するものである。この下部電極層１６１Ｒと上部電極層１６４との間の距離（光学的距離）は、下記の関係式（２）の関係を満たしている。ここでは、例えば、関係式（２）においてｍＲ＝０であり、すなわち関係式（２）が下記の関係式（３）の関係を満たしている。
（２ＬＲ）／λＲ＋Φ／（２π）＝ｍＲ・・・（２）
（２ＬＲ）／λＲ＋Φ／（２π）＝０・・・（３）
（ただし、「ＬＲ」は下部電極層１６１Ｒ（下部電極層１６１Ｒのうちの透明導電層１６２Ｒに隣接する端面ＰＲ１）と上部電極層１６４（上部電極層１６４のうちの有機層１６３に隣接する端面ＰＲ２）との間の光学的距離、「λＲ」は赤色有機ＥＬ素子１６Ｒから放出される光のスペクトルのピーク波長、「Φ」は有機層１６３から発生した光が下部電極層１６１Ｒ（端面ＰＲ１）および上部電極層１６４（端面ＰＲ２）において反射する際に生じる位相シフト、「ｍＲ」は０または整数をそれぞれ表している。）
【００２６】
緑色有機ＥＬ素子１６Ｇは、下部電極層１６１Ｇ（厚さＫＧ）と、透明導電層１６２Ｇ（厚さＤＧ）と、有機層１６３（厚さＹＧ）と、上部電極層１６４（厚さＪＧ）とがこの順に積層された積層構造を有している。この緑色有機ＥＬ素子１６Ｇは、例えば、緑色光ＨＧを放出するための共振器構造を有しており、より具外的には、有機層１６３から発生した光を下部電極層１６１Ｇと上部電極層１６４との間において共振させたのちに上部電極層１６４を通じて緑色光ＨＧとして放出するものである。この下部電極層１６１Ｇと上部電極層１６４との間の距離（光学的距離）は、下記の関係式（４）の関係を満たしている。ここでは、例えば、関係式（４）においてｍＧ＝０であり、すなわち関係式（４）が下記の関係式（５）の関係を満たしている。なお、関係式（４）では、例えば、上記したようにｍＧ＝０に限らず、ｍＧ＝１であってもよい。
（２ＬＧ）／λＧ＋Φ／（２π）＝ｍＧ・・・（４）
（２ＬＧ）／λＧ＋Φ／（２π）＝０・・・（５）
（ただし、「ＬＧ」は下部電極層１６１Ｇ（下部電極層１６１Ｇのうちの透明導電層１６２Ｇに隣接する端面ＰＧ１）と上部電極層１６４（上部電極層１６４のうちの有機層１６３に隣接する端面ＰＧ２）との間の光学的距離、「λＧ」は緑色有機ＥＬ素子１６Ｇから放出される光のスペクトルのピーク波長、「Φ」は有機層１６３から発生した光が下部電極層１６１Ｇ（端面ＰＧ１）および上部電極層１６４（端面ＰＧ２）において反射する際に生じる位相シフト、「ｍＧ」は０または整数をそれぞれ表している。）
【００２７】
青色有機ＥＬ素子１６Ｂは、下部電極層１６１Ｂ（厚さＫＢ）と、透明導電層１６２Ｂ（厚さＤＢ）と、有機層１６３（厚さＹＢ）と、上部電極層１６４（厚さＪＢ）とがこの順に積層された積層構造を有している。この青色有機ＥＬ素子１６Ｂは、例えば、青色光ＨＢを放出するための共振器構造を有しており、より具外的には、有機層１６３から発生した光を下部電極層１６１Ｂと上部電極層１６４との間において共振させたのちに上部電極層１６４を通じて青色光ＨＢとして放出するものである。この下部電極層１６１Ｂと上部電極層１６４との間の距離（光学的距離）は、下記の関係式（６）の関係を満たしている。ここでは、例えば、関係式（６）においてｍＢ＝１であり、すなわち関係式（６）が下記の関係式（７）の関係を満たしている。なお、関係式（６）では、例えば、上記したようにｍＢ＝１に限らず、ｍＢ＝０であってもよい。
（２ＬＢ）／λＢ＋Φ／（２π）＝ｍＢ・・・（６）
（２ＬＢ）／λＢ＋Φ／（２π）＝１・・・（７）
（ただし、「ＬＢ」は下部電極層１６１Ｂ（下部電極層１６１Ｂのうちの透明導電層１６２Ｂに隣接する端面ＰＢ１）と上部電極層１６４（上部電極層１６４のうちの有機層１６３に隣接する端面ＰＢ２）との間の光学的距離、「λＢ」は青色有機ＥＬ素子１６Ｂから放出される光のスペクトルのピーク波長、「Φ」は有機層１６３から発生した光が下部電極層１６１Ｂ（端面ＰＢ１）および上部電極層１６４（端面ＰＢ２）において反射する際に生じる位相シフト、「ｍＢ」は０または整数をそれぞれ表している。）
【００２８】
光学的距離ＬＲ，ＬＧ，ＬＢは、赤色有機ＥＬ素子１６Ｒ、緑色有機ＥＬ素子１６Ｇおよび青色有機ＥＬ素子１６Ｂからそれぞれ放出される光の色（赤色光ＨＲの赤色，緑色光ＨＧの緑色，青色光ＨＢの青色）に応じて、それらの赤色有機ＥＬ素子１６Ｒ、緑色有機ＥＬ素子１６Ｇおよび青色有機ＥＬ素子１６Ｂの間において互いに異なっている。具体的には、光学的距離ＬＲ，ＬＧ，ＬＢは、赤色有機ＥＬ素子１６Ｒ、緑色有機ＥＬ素子１６Ｇおよび青色有機ＥＬ素子１６Ｂが有機層１６３から発生した光をそれぞれ赤色光ＨＲ、緑色光ＨＧおよび青色光ＨＢとして放出可能となるように設定されており、例えば、上記した関係式（３），（５），（７）に示したように、ｍＲ＝０，ｍＧ＝０，ｍＢ＝１の場合には、青色光ＨＢ，赤色光ＨＲ，緑色光ＨＧに対応して順に小さくなっている（ＬＢ＞ＬＲ＞ＬＧ）。上記した「有機層１６３から発生した光を赤色光ＨＲ、緑色光ＨＧおよび青色光ＨＢとして放出する」とは、図２に示したように、有機層１６３中の任意の発光点ＮＲ，ＮＧ，ＮＢにおいて発生した光が下部電極層１６１Ｒ，１６１Ｇ，１６１Ｂと上部電極層１６４との間において共振されたのちに上部電極層１６４を通じて放出される過程において、赤色有機ＥＬ素子１６Ｒ、緑色有機ＥＬ素子１６Ｇおよび青色有機ＥＬ素子１６Ｂの間における共振長（光学的距離ＬＲ，ＬＧ，ＬＢ）の差異に基づく光の多重干渉現象を利用して、発光点ＮＲ，ＮＧ，ＮＢにおいて発生した際に互いに同一の色（波長）を有していた光の波長を放出時に赤色有機ＥＬ素子１６Ｒ、緑色有機ＥＬ素子１６Ｇおよび青色有機ＥＬ素子１６Ｂの間において互いに異ならせ、すなわち赤色有機ＥＬ素子１６Ｒにおいて赤色に対応する波長、緑色有機ＥＬ素子１６Ｇにおいて緑色に対応する波長、ならびに青色有機ＥＬ素子１６Ｂにおいて青色に対応する波長をそれぞれ選択的に増強させることにより、最終的に赤色光ＨＲ、緑色光ＨＧおよび青色光ＨＢを生成するという意味である。
【００２９】
下部電極層１６１Ｒ，１６１Ｇ，１６１Ｂは、有機層１６３に電圧を印加するための電極として機能すると共に、その有機層１６３から発生した光を共振させるために反射させるミラー（全反射ミラー）として機能する第１の電極層であり、図１に示したように、赤色有機ＥＬ素子１６Ｒ、緑色有機ＥＬ素子１６Ｇおよび青色有機ＥＬ素子１６Ｂのそれぞれの配置領域ごとに互いに分離して配置されている。ここでは、例えば、下部電極層１６１Ｒおよび下部電極層１６１Ｇが互いに同一の材料により構成されていると共に、それらの下部電極層１６１Ｒおよび下部電極層１６１Ｇが互いに異なる厚さＫＲ，ＫＧを有している（ＫＲ≠ＫＧ）。これらの下部電極層１６１Ｒ，１６１Ｇは、光反射性を有する電極材料により構成されており、例えば、いずれもアルミニウム（Ａｌ）、アルミニウムを含む合金、銀（Ａｇ）または銀を含む合金により構成されている。この「アルミニウムを含む合金」とは、いわゆるアルミニウムを主成分とする合金であり、例えば、アルミニウムネオジム合金（ＡｌＮｄ；例えばＡｌ：Ｎｄ＝９０重量％：１０重量％）などが挙げられる。また、「銀を含む合金」とは、いわゆる銀を主成分とする合金であり、例えば、銀パラジウム銅合金（ＡｇＰｄＣｕ；例えばＡｇ：Ｐｄ：Ｃｕ＝９９重量：０．７５重量％：０．２５重量％）などが挙げられる。
【００３０】
具体的には、下部電極層１６１Ｇの厚さＫＧは下部電極層１６１Ｒの厚さＫＲよりも小さくなっており（ＫＧ＜ＫＲ）、この厚さＫＲ，ＫＧの間の差異に伴い、下部電極層１６１Ｇの反射率Ｓ１Ｇは下部電極層１６１Ｒの反射率Ｓ１Ｒよりも小さくなっている（Ｓ１Ｇ＜Ｓ１Ｒ）。特に、下部電極層１６１Ｒの反射率Ｓ１Ｒおよび下部電極層１６１Ｇの反射率Ｓ１Ｇは、いずれも約６０％以上（Ｓ１Ｒ，Ｓ１Ｇ≧６０％）、より具体的には約６０％以上１００％以下の範囲内（６０％≦Ｓ１Ｒ，Ｓ１Ｇ≦１００％）である。また、下部電極層１６１Ｒの反射率Ｓ１Ｒに対する下部電極層１６１Ｇの反射率Ｓ１Ｇの差異は、約１０％以上である。この「反射率Ｓ１Ｒに対する反射率Ｓ１Ｇの差異が約１０％以上である」とは、反射率Ｓ１Ｒの値を基準とした場合に、その反射率Ｓ１Ｒの値よりも反射率Ｓ１Ｇの値が約１０％以上小さいことを意味しており、言い替えれば反射率Ｓ１Ｇの値が反射率Ｓ１Ｒの値の約９０％以下であること（ＳＧ≦ＳＲ×０．９）を意味している。
【００３１】
なお、下部電極層１６１Ｂの厚さＫＢ、材質および反射率Ｓ１Ｂは、下部電極層１６１Ｒ，１６１Ｇの厚さＫＲ，ＫＢ、材質および反射率Ｓ１Ｒ，Ｓ１Ｇに応じて自由に設定可能である。ただし、下部電極層１６１Ｂの反射率Ｓ１Ｂは、例えば、下部電極層１６１Ｒの反射率Ｓ１Ｒおよび下部電極層１６１Ｇの反射率Ｓ１Ｇと同様に、約６０％以上（Ｓ１Ｂ≧６０％）、より具体的には約６０％以上１００％以下の範囲内（６０％≦Ｓ１Ｂ≦１００％）である。図２では、例えば、下部電極層１６１Ｂが下部電極層１６１Ｒ，１６１Ｇの構成材料と同一の材料により構成されていると共に、その下部電極層１６１Ｂの厚さＫＢが下部電極層１６１Ｇの厚さＫＧに一致していることに伴い（Ｋ１Ｂ＝Ｋ１Ｇ）、下部電極層１６１Ｂの反射率Ｓ１Ｂが下部電極層１６１Ｇの反射率Ｓ１Ｇに一致していると共に（Ｓ１Ｂ＝Ｓ１Ｇ）、下部電極層１６１Ｒの反射率Ｓ１Ｒに対する下部電極層１６１Ｂの反射率Ｓ１Ｂの差異が、下部電極層１６１Ｒの反射率Ｓ１Ｒに対する下部電極層１６１Ｇの反射率Ｓ１Ｇの差異と同様に約１０％以上である場合を示している。
【００３２】
透明導電層１６２Ｒ，１６２Ｇ，１６２Ｂは、それぞれ下部電極層１６１Ｒ，１６１Ｇ，１６１Ｂに隣接することにより実質的に電極として機能すると共に、赤色有機ＥＬ素子１６Ｒ、緑色有機ＥＬ素子１６Ｇおよび青色有機Ｅ素子１６Ｂの間において光学的距離ＬＲ，ＬＧ，ＬＢに差異を生じさせる機能を果たすものであり、例えば、図１に示したように、赤色有機ＥＬ素子１６Ｒ、緑色有機ＥＬ素子１６Ｇおよび青色有機ＥＬ素子１６Ｂのそれぞれの配置領域ごとに互いに分離して配置されている。これらの透明導電層１６２Ｒ，１６２Ｇ，１６２Ｂは、例えば、いずれも酸化インジウム錫（ＩＴＯ；indium tin oxide）などの透明導電性材料により構成されている。特に、透明導電層１６２Ｒ，１６２Ｇ，１６２Ｂの厚さＤＲ，ＤＧ，ＤＢは、例えば、赤色有機ＥＬ素子１６Ｒ、緑色有機ＥＬ素子１６Ｇおよび青色有機ＥＬ素子１６Ｂからそれぞれ放出される赤色光ＨＲ、緑色光ＨＧおよび青色光ＨＢに対応して異なっており、具体的には青色光ＨＢ、赤色光ＨＲおよび緑色光ＨＧの順に小さくなっている（ＤＢ＞ＤＲ＞ＤＧ）。なお、透明導電層１６２Ｒ，１６２Ｇ，１６２Ｂは、例えば、必ずしも互いに同一の透明導電性材料により構成されていなければならないわけなく、互いに異なる透明導電性材料により構成されていてもよい。
【００３３】
有機層１６３は、有機ＥＬ現象を利用して発光するものである。この有機層１６３は、特定の色（波長域）の光、すなわち赤色有機ＥＬ素子１６Ｒ、緑色有機ＥＬ素子１６Ｇおよび青色有機ＥＬ素子１６Ｂの間において共通の色（互いに等しい色）の光を発生させるものであり、例えば、白色光を発生させるものである。特に、有機層１６３は、図１に示したように、赤色有機ＥＬ素子１６Ｒ、緑色有機ＥＬ素子１６Ｇおよび青色有機ＥＬ素子１６Ｂのそれぞれの配置領域ごとに互いに分離して配置されている下部電極層１６１Ｒ，１６１Ｇ，１６１Ｂおよび透明導電層１６２Ｒ，１６２Ｇ，１６２Ｂとは異なり、赤色有機ＥＬ素子１６Ｒ、緑色有機ＥＬ素子１６Ｇおよび青色有機ＥＬ素子１６Ｂのそれぞれの配置領域を連続的に経由しながら延在するように配置されている。すなわち、有機層１６３は、赤色有機ＥＬ素子１６Ｒ、緑色有機ＥＬ素子１６Ｇおよび青色有機ＥＬ素子１６Ｂにより共有されており、赤色有機ＥＬ素子１６Ｒ、緑色有機ＥＬ素子１６Ｇおよび青色有機ＥＬ素子１６Ｂのそれぞれにおける有機層１６３の厚さＹＲ，ＹＧ，ＹＢは、互いに等しくなっている（ＹＲ＝ＹＧ＝ＹＢ）。
【００３４】
この有機層１６３は、例えば、図２および図３に示したように、実質的に有機ＥＬ現象を利用して発光することにより特定の色の光を発生させる発光層１６３３を含む層でおり、より具体的には、ホール注入層１６３１と、ホール輸送層１６３２と、発光層１６３３と、電子輸送層１６３４とがこの順（下部電極層１６１Ｒ，１６１Ｇ，１６１Ｂに近い側から順）に積層された積層構造を有している。この発光層１６３３は、上記したように白色光を発生させるために、例えば、赤色発光層１６３３Ｒと、緑色発光層１６３３Ｇと、青色発光層１６３３Ｂとがこの順（ホール輸送層１６３２に近い側から順）に積層された積層構造を有している。
【００３５】
ホール注入層１６３１は、ホール輸送層１６３２にホール（正孔）を注入するものであり、例えば、４，４’，４”−トリス（３−メチルフェニルフェニルアミノ）トリフェニルアミン（ＭＴＤＡＴＡ）により構成されている。
【００３６】
ホール輸送層１６３２は、ホール注入層１６３１から注入されたホールを発光層１６３３へ輸送するものであり、例えば、ビス［（Ｎ−ナフチル）−Ｎ−フェニル］ベンジジン（α−ＮＰＤ）により構成されている。
【００３７】
発光層１６３３のうちの赤色発光層１６３３Ｒは、有機ＥＬ現象を利用して赤色の光を発生させるものであり、例えば、４−ジシアノメチレン−６−（Ｐ−ジメチルアミノシチル）−２−メチル−４Ｈ−ピラン（ＤＣＭ）が約２体積％混合された８−キノリノールアルミニウム錯体（Ａｌｑ）により構成されている。緑色発光層１６３３Ｇは、有機ＥＬ現象を利用して緑色の光を発生させるものであり、例えば、８−キノリノールアルミニウム錯体（Ａｌｑ）により構成されている。青色発光層１６３３Ｂは、有機ＥＬ現象を利用して青色の光を発生させるものであり、例えば、バソクプロイン（ＢＣＰ）により構成されている。
【００３８】
電子輸送層１６３４は、発光層１６３３へ電子を輸送するものであり、例えば、８−キノリノールアルミニウム錯体（Ａｌｑ）により構成されている。
【００３９】
上部電極層１６４は、有機層１６３に電圧を印加するための電極として機能すると共に、その有機層１６３から発生した光を共振させるために反射させたのちに外部へ導くハーフミラーとして機能する第２の電極層であり、図１に示したように、有機層１６３と同様に、赤色有機ＥＬ素子１６Ｒ、緑色有機ＥＬ素子１６Ｇおよび青色有機ＥＬ素子１６Ｂのそれぞれの配置領域を連続的に経由しながら延在するように配置されている。すなわち、上部電極層１６４は、赤色有機ＥＬ素子１６Ｒ、緑色有機ＥＬ素子１６Ｇおよび青色有機ＥＬ素子１６Ｂにより共有されており、赤色有機ＥＬ素子１６Ｒ、緑色有機ＥＬ素子１６Ｇおよび青色有機ＥＬ素子１６Ｂのそれぞれにおける上部電極層１６４の厚さＪＲ，ＪＧ，ＪＢは、互いに等しくなっている（ＪＲ＝ＪＧ＝ＪＢ）。この上部電極層１６４は、光半透過性を有する導電性材料により構成されており、例えば、銀（Ａｇ）または銀を含む合金により構成された単層構造を有している。この「銀を含む合金」とは、いわゆる銀を含有する合金であり、例えば、銀マグネシウム合金（ＡｇＭｇ；例えばＡｇ：Ｍｇ＝１０重量％：９０重量％）などが挙げられる。特に、上部電極層１６４の反射率Ｓ２は、例えば、約５０％以上（Ｓ２≧５０％）、より具体的には約５０％以上９５％以下の範囲内（５０％≦Ｓ２≦９５％）である。この場合において、反射率Ｓ２は、例えば、約６０％以上であるのが好ましく、さらに約７０％以上あるいは約８０％以上であるのが好ましい。反射率Ｓ２が約５０％よりも小さくなると、上部電極層１６４において十分な反射特性が得られず、一方、反射率Ｓ２が約９５％よりも大きくなると、上部電極層１６４において十分な透過特性が得られないからである。なお、上部電極層１６４は、必ずしも単層構造を有していなければならないわけではなく、互いに異なる材料により構成された積層構造を有していてもよい。より具体的には、上部電極層１６４は、例えば、マグネシウム（Ｍｇ）および銀（Ａｇ）を含む合金により構成された層（下層）と、銀または銀を含む合金により構成された層（上層）とがこの順に積層された２層構造を有していてもよい。この「マグネシウムおよび銀を含む合金」としては、いわゆるマグネシウムおよび銀を含有する合金であり、例えば、マグネシウム銀合金（ＭｇＡｇ；Ｍｇ：Ａｇ＝例えば５重量％：１重量％〜２０重量％：１重量％）などが挙げられる。また、「銀を含む合金」とは、いわゆる銀を含有する合金であり、例えば、銀マグネシウム合金（ＡｇＭｇ；例えばＡｇ：Ｍｇ＝１０重量％：９０重量％）などが挙げられる。
【００４０】
補助配線１７は、図示しない電源と上部電極層１６４との間の抵抗の差異を緩和させることにより、赤色有機ＥＬ素子１６Ｒ、緑色有機ＥＬ素子１６Ｇおよび青色有機ＥＬ素子１６Ｂの間の抵抗差を低減させるものであり、その上部電極層１６４と電気的に接続されている。この補助配線１７は、赤色有機ＥＬ素子１６Ｒ、緑色有機ＥＬ素子１６Ｇおよび青色有機ＥＬ素子１６Ｂと同一階層に配設されており、例えば、有機層１６３および上部電極層１６４を含まないことを除き、それらの赤色有機ＥＬ素子１６Ｒ、緑色有機ＥＬ素子１６Ｇおよび青色有機ＥＬ素子１６Ｂとほぼ同様の積層構造（下部電極層／透明導電層）を有している。
【００４１】
層内絶縁層１８は、有機ＥＬ素子１６および補助配線１７の間を電気的に分離すると共に、特に、赤色有機ＥＬ素子１６Ｒ、緑色有機ＥＬ素子１６Ｇおよび青色有機ＥＬ素子１６Ｂから放出される赤色光ＨＲ、緑色光ＨＧおよび青色光ＨＢの放出範囲を絞り込むためのバンクである。この層内絶縁層１８は、例えば、ポリイミドまたはポリベンゾオキサゾールなどの有機絶縁性材料や、酸化シリコン（ＳｉＯ2 ）などの無機絶縁性材料により構成されており、赤色有機ＥＬ素子１６Ｒ、緑色有機ＥＬ素子１６Ｇ、青色有機ＥＬ素子１６Ｂおよび補助配線１７の周囲に、それらの赤色有機ＥＬ素子１６Ｒ、緑色有機ＥＬ素子１６Ｇ、青色有機ＥＬ素子１６Ｂおよび補助配線１７の間を分離するように設けられている。
【００４２】
保護層１９は、主に有機ＥＬ素子１６を保護するものであり、例えば、窒化ケイ素（ＳｉＮ）などの光透過性誘電性材料により構成されたパッシベーション膜である。
【００４３】
一方、封止パネル２０は、例えば、封止用基板２１を含んで構成されている。この封止用基板２１は、有機ＥＬ素子１６（赤色有機ＥＬ素子１６Ｒ，緑色有機ＥＬ素子１６Ｇ，青色有機ＥＬ素子１６Ｂ）から放出された画像表示用の光Ｈ（赤色光ＨＲ，緑色光ＨＧ，青色光ＨＢ）を透過させることにより有機ＥＬディスプレイの外部へ放出させるものであり、例えば、ガラスなどの光透過性絶縁性材料により構成されている。
【００４４】
なお、接着層３０は、駆動パネル１０と封止パネル２０とを互いに貼り合わせるためのものであり、例えば、熱硬化型樹脂などの接着材料により構成されている。
【００４５】
次に、図１〜図３を参照して、有機ＥＬディスプレイの動作について説明する。
【００４６】
この有機ＥＬディスプレイでは、図１〜図３に示したように、駆動パネル１０のうちのＴＦＴ１２を利用して赤色有機ＥＬ素子１６Ｒ、緑色有機ＥＬ素子１６Ｇおよび青色有機ＥＬ素子１６Ｂが駆動され、すなわち下部電極層１６１Ｒ，１６１Ｇ，１６１Ｂと上部電極層１６４との間に電圧が印加されると、有機層１６３のうちの発光層１６３３において、ホール注入層１６３１からホール輸送層１６３２を経由して供給された正孔と電子輸送層１６３４から供給された電子とが再結合することにより、白色光が発生する。この白色光は、赤色発光層１６３３Ｒにおいて発生した赤色の光と、緑色発光層１６３３Ｇにおいて発生した緑色の光と、青色発光層１６３３Ｂにおいて発生した青色の光とが合成された合成光（重畳光）である。
【００４７】
この白色光は、赤色有機ＥＬ素子１６Ｒ、緑色有機ＥＬ素子１６Ｇおよび青色有機ＥＬ素子１６Ｂから画像表示用の光Ｈとして有機ＥＬディスプレイの外部へ放出される過程において、共振器構造を有する赤色有機ＥＬ素子１６Ｒ、緑色有機ＥＬ素子１６Ｇおよび青色有機ＥＬ素子１６Ｂの間における共振長（光学的距離Ｌ（ＬＲ，ＬＧ，ＬＢ））の差異に基づく光の多重干渉現象を利用して選択的に増強され、すなわち赤色有機ＥＬ素子１６Ｒ、緑色有機ＥＬ素子１６Ｇおよび青色有機ＥＬ素子１６Ｂからそれぞれ赤色光ＨＲ、緑色光ＨＧおよび青色光ＨＢとして放出される。これにより、赤色有機ＥＬ素子１６Ｒ、緑色有機ＥＬ素子１６Ｇおよび青色有機ＥＬ素子１６Ｂからそれぞれ放出された赤色光ＨＲ、緑色光ＨＧおよび青色光ＨＢの合成光（画像表示用の光Ｈ）が有機ＥＬディスプレイの外部へ放出されることにより画像として視認されるため、その画像表示用の光Ｈに基づいてフルカラーの画像が表示される。
【００４８】
特に、赤色有機ＥＬ素子１６Ｒ、緑色有機ＥＬ素子１６Ｇおよび青色有機ＥＬ素子１６Ｂからそれぞれ赤色光ＨＲ、緑色光ＨＧおよび青色光ＨＢが放出される際には、図２に示したように、赤色有機ＥＬ素子１６Ｒ、緑色有機ＥＬ素子１６Ｇおよび青色有機ＥＬ素子１６Ｂにおいて、有機層１６３のうちの発光層１６３３から発生した光が全反射ミラーとして機能する下部電極層１６１Ｒ，１６１Ｇ，１６１Ｂとハーフミラーとして機能する上部電極層１６４との間において反射されることにより共振される。これにより、赤色有機ＥＬ素子１６Ｒ、緑色有機ＥＬ素子１６Ｇおよび青色有機ＥＬ素子１６Ｂからそれぞれ放出される赤色光ＨＲ、緑色光ＨＧおよび青色光ＨＢの半値幅が減少するため、それらの赤色光ＨＲ、緑色光ＨＧおよび青色光ＨＢの色純度が向上する。
【００４９】
本実施の形態に係る有機ＥＬディスプレイでは、有機層１６３から白色光が発生する場合に、光学的距離ＬＲ，ＬＧ，ＬＢの差異に基づく光の多重干渉現象を利用して白色光を選択的に増強することにより赤色光ＨＲ、緑色光ＨＧおよび青色光ＨＢとして放出すると共に、下部電極層１６１Ｒ，１６１Ｇ，１６１Ｂと上部電極層１６４との間において光を反射させることにより共振させる共振器構造を有する赤色有機ＥＬ素子１６Ｒ、緑色有機ＥＬ素子１６Ｇおよび青色有機ＥＬ素子１６Ｂを備え、特に、緑色有機ＥＬ素子１６Ｇのうちの下部電極層１６１Ｇの反射率Ｓ１Ｇが赤色有機ＥＬ素子１６Ｒのうちの下部電極層１６１Ｒの反射率Ｓ１Ｒよりも小さくなるようにしたので（Ｓ１Ｇ＜Ｓ１Ｒ）、以下の理由により、小型化および高性能化を実現することができる。
【００５０】
すなわち、緑色有機ＥＬ素子１６Ｇのうちの下部電極層１６１Ｇの反射率Ｓ１Ｇが赤色有機ＥＬ素子１６Ｒのうちの下部電極層１６１Ｒの反射率Ｓ１Ｒよりも小さい場合（Ｓ１Ｇ＜Ｓ１Ｒ）には、その反射率Ｓ１Ｇが反射率Ｓ１Ｒ以上である場合（Ｓ１Ｇ≧Ｓ１Ｒ）と比較して、光学的距離ＬＧのばらつき、具体的には光学的距離ＬＧを決定する透明導電層１６２Ｇおよび有機層１６３のそれぞれの膜厚のばらつきに起因して緑色光ＨＧの色度がばらつきにくくなるため、その緑色光ＨＧの色度が安定化する。この緑色光ＨＧでは、他の赤色光ＨＲや青色光ＨＢと比較して、光学的距離のばらつきに起因して色度がばらつきやすい傾向にあり、すなわち緑色光ＨＧの色度は、赤色光ＨＲ、緑色光ＨＧおよび青色光ＨＢの合成光である画像表示用の光Ｈの色度に影響を及ぼしやすい因子であることを考慮すれば、上記したように緑色光ＨＧの色度が安定化することにより、画像表示用の光Ｈの色度も同様に安定化する。
【００５１】
この場合には、さらに、例えば、上記した赤色有機ＥＬ素子１６Ｒの共振条件を決定する関係式（２），（３）に示したように、ｍＲの値を０に設定すれば（ｍＲ＝０）、そのｍＲの値を最小に設定した場合においても、共振器構造を有する赤色有機ＥＬ素子１６Ｒにおいて十分な共振作用が得られるため、その赤色有機ＥＬ素子１６Ｒから放出される赤色光ＨＲの色度が向上する。具体的には、ｍＲの値をｍＲ＝０に設定した場合には、そのｍＲの値をｍＲ＝０以外に設定した場合（例えば、ｍＲ＝１に設定した場合）とは異なり、赤色光ＨＲのスペクトル中に赤色の色度に悪影響を及ぼす不要なスペクトルピーク（例えば、青色の色度に対応する高次成分）が発生しなくなるため、その赤色光ＨＲの色純度が向上する。
【００５２】
これにより、緑色光ＨＧの色度が安定化すると共に、赤色光ＨＲの色純度が向上する結果、画像表示用の光Ｈの色度が向上するため、画像の表示性能が確保される。
【００５３】
しかも、この場合には、上記した色度の向上原理に基づいて、カラーフィルタを使用しなくても緑色光ＨＧの色度が安定化すると共に赤色光ＨＲの色純度が向上し、すなわちカラーフィルタを使用せずに画像の表示性能が確保されるため、その画像の表示性能を確保するためにカラーフィルタを搭載する必要がない。
【００５４】
これにより、画像の表示性能を確保するためにカラーフィルタを搭載する必要がある場合と比較して、そのカラーフィルタを搭載しない分だけディスプレイサイズが小さくなるため、小型化が実現される。
【００５５】
したがって、本実施の形態では、ディスプレイサイズを小さくした場合においても画像の表示性能が確保されるため、小型化および高性能化を実現することができるのである。
【００５６】
また、本実施の形態では、下部電極層１６１Ｒ，１６１Ｇ，１６１Ｂの反射率Ｓ１Ｒ，Ｓ１Ｇ，Ｓ１Ｂが約６０％以上であると共に（Ｓ１Ｒ，Ｓ１Ｇ，Ｓ１Ｂ≧約６０％）、上部電極層１６４の反射率Ｓ２が約５０％以上であるようにしたので（Ｓ２≧約５０％）、下部電極層１６１Ｒ，１６１Ｇ，１６１Ｂおよび上部電極層１６４の双方において光反射性が十分に大きくなる。この場合には、有機層１６３から発生した光が下部電極層１６１Ｒ，１６１Ｇ，１６１Ｂおよび上部電極層１６４の双方において反射しやすくなるため、その光が共振されやすくなる。したがって、赤色有機ＥＬ素子１６Ｒ、緑色有機ＥＬ素子１６Ｇおよび青色有機ＥＬ素子１６Ｂにおいて十分な共振作用が得られるため、画像表示用の光Ｈ（赤色光ＨＲ，緑色光ＨＧ，青色光ＨＢ）の色純度を著しく向上させることができる。
【００５７】
また、本実施の形態では、下部電極層１６１Ｒの反射率Ｓ１Ｒに対する下部電極層１６１Ｇの反射率Ｓ１Ｇの差異が約１０％以上であり、すなわち反射率Ｓ１Ｇが反射率Ｓ１Ｒに対して約１０％以上小さくなるようにしたので、反射率Ｓ１Ｇと反射率Ｓ１Ｒとの間に十分な差異が確保される。この場合には、反射率Ｓ１Ｒに対する反射率Ｓ１Ｇの差異が約１０％未満である場合と比較して、光学的距離ＬＧのばらつきに起因して緑色光ＨＧの色度がよりばらつきにくくなるため、その緑色光ＨＧの色度がより安定化しやすくなる。したがって、緑色光ＨＧの色度を著しく安定化させることができる。
【００５８】
ここで、本発明の有機ＥＬディスプレイに関する技術的意義について説明しておく。すなわち、本発明の有機ＥＬディスプレイは、主に、ビューファインダなどに代表される小型ディスプレイに適用されるものであり、その小型ディスプレイに適用されることにより顕著な技術的意義を発揮するものである。この種の小型ディスプレイに適用される用途では、ディスプレイサイズが小さいにもかかわらずに表示画像を十分に視認可能としなければならないため、モニタに代表される大型ディスプレイに適用される用途と比較して、有機ＥＬディスプレイに関して要求される表示性能は必然的に高くなり、すなわち大型ディスプレイに適用される用途よりも高い色度特性が要求される。しかも、小型ディスプレイに適用される用途では、昨今において多様な電気機器について小型化が要求されている技術的背景を反映して、有機ＥＬディスプレイに関して要求されるディスプレイサイズが必然的に小さくなり、すなわちディスプレイサイズのサイズダウンが益々要求されている。これらのことから、本発明の有機ＥＬディスプレイに関する技術的意義は、ビューファインダなどに代表される小型ディスプレイに有機ＥＬディスプレイを適用する場合において、ディスプレイの小型化および表示性能の高性能化を両立し、すなわちディスプレイを小型化しつつ表示性能を確保する点にある。
【００５９】
なお、本実施の形態では、図２に示したように、下部電極層１６１Ｒおよび下部電極層１６１Ｇが互いに同一の材料により構成されていると共に、それらの下部電極層１６１Ｒおよび下部電極層１６１Ｇが互いに異なる厚さＫＲ，ＫＧを有しており（ＫＲ≠ＫＧ，具体的にはＫＧ＜ＫＲ）、その厚さＫＲ，ＫＧの間の差異に伴って下部電極層１６１Ｇの反射率Ｓ１Ｇが下部電極層１６１Ｒの反射率Ｓ１Ｒよりも小さくなるようにしたが（Ｓ１Ｇ＜Ｓ１Ｒ）、必ずしもこれに限られるものではない。具体的には、例えば、図２に対応する図４に示したように、下部電極層１６１Ｒおよび下部電極層１６１Ｇが互いに異なる材料（互いに反射率が異なる材料）により構成されており、その材料（反射率）の差異に伴って下部電極層１６１Ｇの反射率Ｓ１Ｇが下部電極層１６１Ｒの反射率Ｓ１Ｒよりも小さくなるようにしてもよい（Ｓ１Ｇ＜Ｓ１Ｒ）。下部電極層１６１Ｇは、相対的に低い反射率を有する導電性材料により構成されており、例えば、タングステン（Ｗ）、クロム（Ｃｒ）、モリブデン（Ｍｏ）、チタン（Ｔｉ）、タンタル（Ｔａ）、ニオブ（Ｎｂ）またはニッケル（Ｎｉ）により構成されている。また、下部電極層１６１Ｒは、相対的に高い反射率を有する導電性材料により構成されており、例えば、アルミニウム（Ａｌ）、アルミニウムを含む合金、銀（Ａｇ）または銀を含む合金により構成されている。図４では、例えば、下部電極層１６１Ｒおよび下部電極層１６１Ｇが互いに等しい厚さＫＲ，ＫＧを有している場合（ＫＲ＝ＫＧ）を示している。なお、下部電極層１６１Ｂの厚さＫＢ、材質および反射率Ｓ１Ｂは、自由に設定可能である。図４では、例えば、下部電極層１６１Ｂが下部電極層１６１Ｇの構成材料と同一の材料により構成されていると共に、その下部電極層１６１Ｂの厚さＫＢが下部電極層１６１Ｇの厚さＫＧに一致していることに伴い（ＫＢ＝ＫＧ）、下部電極層１６１Ｂの反射率Ｓ１Ｂが下部電極層１６１Ｇの反射率Ｓ１Ｇに一致している場合（Ｓ１Ｂ＝Ｓ１Ｇ）を示している。この場合においても、下部電極層１６１Ｇの反射率Ｓ１Ｇが下部電極層１６１Ｒの反射率Ｓ１Ｒよりも小さくなることに基づき、上記実施の形態において説明した作用と同様の作用が得られるため、有機ＥＬディスプレイの小型化および高性能化を実現することができる。なお、図４に示した有機ＥＬディスプレイに関する上記以外の構成は、図２に示した場合と同様である。
【００６０】
また、本実施の形態では、図１および図２に示したように、画像表示用の光Ｈを上方、具体的には封止パネル２０を経由して外部へ放出することにより画像を表示するトップエミッション型構造を有するように有機ＥＬディスプレイを構成したが、必ずしもこれに限られるものではなく、例えば、図１および図２にそれぞれ対応する図５および図６に示したように、画像表示用の光Ｈを下方、具体的には駆動パネル１０を経由して外部へ放出することにより画像を表示するボトムエミッション型構造を有するように有機ＥＬディスプレイを構成してもよい。
【００６１】
このボトムエミッション型構造を有する有機ＥＬディスプレイでは、（１）下部電極層１６１Ｒ，１６１Ｇ，１６１Ｂがミラーとして機能する第１の電極層であり、上部電極層１６４がハーフミラーとして機能する第２の電極層であった上記実施の形態（図１および図２参照）とは異なり、下部電極層１６１Ｒ，１６１Ｇ，１６１Ｂがハーフミラーとして機能する第２の電極層であり、上部電極層１６４がミラーとして機能する第１の電極層であり、（２）駆動用基板１１が非光透過性絶縁性材料により構成され、封止用基板２１が光透過性絶縁性材料により構成されていた上記実施の形態とは異なり、駆動用基板１１が光透過性絶縁性材料により構成され、封止用基板２１が非光透過性絶縁性材料により構成されており、（３）上部電極層１６４が赤色有機ＥＬ素子１６Ｒ、緑色有機ＥＬ素子１６Ｇおよび青色有機ＥＬ素子１６Ｂのそれぞれの配置領域を連続的に経由しながら延在しており、すなわち上部電極層１６４が赤色有機ＥＬ素子１６Ｒ、緑色有機ＥＬ素子１６Ｇおよび青色有機ＥＬ素子１６Ｂにより共有されていた上記実施の形態とは異なり、赤色有機ＥＬ素子１６Ｒ、緑色有機ＥＬ素子１６Ｇおよび青色有機ＥＬ素子１６Ｂのそれぞれの配置領域ごとに上部電極層１６４Ｒ，１６４Ｇ，１６４Ｂが分離して配置されている。なお、ハーフミラーとして機能する下部電極層１６１Ｒ，１６１Ｇ，１６１Ｂの構成材料は、例えば、上記実施の形態において説明した上部電極層１６４の構成材料と同様であり、ミラーとして機能する上部電極層１６４Ｒ，１６４Ｇ，１６４Ｂの構成材料は、例えば、上記実施の形態において説明した下部電極層１６１Ｒ，１６１Ｇ，１６１Ｂの構成材料と同様である。また、駆動用基板１１の構成材料（光透過性絶縁性材料）は、例えば、上記実施の形態において説明した封止用基板２１の構成材料と同様であり、封止用基板２１の構成材料（非光透過性絶縁性材料）は、例えば、上記実施の形態において説明した駆動用基板１１の構成材料と同様である。
【００６２】
図６では、例えば、上部電極層１６４Ｒおよび上部電極層１６４Ｇが互いに同一の材料により構成されていると共に、それらの上部電極層１６４Ｒおよび上部電極層１６４Ｇが互いに異なる厚さＪＲ，ＪＧを有しており（ＪＲ≠ＪＧ，具体的にはＪＧ＜ＪＲ）、その厚さＪＲ，ＪＧの間の差異に伴って上部電極層１６４Ｇの反射率Ｓ２Ｇが上部電極層１６４Ｒの反射率Ｓ２Ｒよりも小さくなっている場合（Ｓ２Ｇ＜Ｓ２Ｒ）を示している。なお、上部電極層１６４Ｂの厚さＪＢ、材質および反射率Ｓ２Ｂは、自由に設定可能である。図６では、例えば、上部電極層１６４Ｂが上部電極層１６４Ｒ，１６４Ｇの構成材料と同一の材料により構成されていると共に、その上部電極層１６４Ｂの厚さＪＢが上部電極層１６４Ｇの厚さＪＧに一致していることに伴い（ＪＢ＝ＪＧ）、上部電極層１６４Ｂの反射率Ｓ２Ｂが上部電極層１６４Ｇの反射率Ｓ２Ｇに一致している場合（Ｓ２Ｂ＝Ｓ２Ｇ）を示している。
【００６３】
この場合においても、上部電極層１６４Ｇの反射率Ｓ２Ｇが上部電極層１６４Ｒの反射率Ｓ２Ｒよりも小さくなることにより、上記実施の形態において説明した作用と同様の作用が得られるため、有機ＥＬディスプレイの小型化および高性能化を実現することができる。なお、図５および図６に示した有機ＥＬディスプレイに関する上記以外の構成は、図１および図２に示した場合と同様である。すなわち、トップエミッション型構造を有する有機ＥＬディスプレイに関して上記した（１）〜（７）の関係式は、ボトムエミッション型構造を有する有機ＥＬディスプレイに関しても同様に適用される。
【００６４】
なお、図６に示したボトムエミッション型構造を有する有機ＥＬディスプレイでは、例えば、図４に対応する図７に示したように、上部電極層１６４Ｒおよび上部電極層１６４Ｇが互いに異なる材料（互いに反射率が異なる材料）により構成されており、その材料（反射率）の差異に伴って上部電極層１６４Ｇの反射率Ｓ２Ｇが上部電極層１６４Ｒの反射率Ｓ２Ｒよりも小さくなるようにしてもよい（Ｓ２Ｇ＜Ｓ２Ｒ）。上部電極層１６４Ｒの構成材料は、上記にて図４を参照して説明した下部電極層１６１Ｒの構成材料と同様であり、上部電極層１６４Ｇの構成材料は、同じく図４を参照して説明した下部電極層１６１Ｇの構成材料と同様である。図７では、例えば、上部電極層１６４Ｒおよび上部電極層１６４Ｇが互いに等しい厚さＪＲ，ＪＧを有している場合（ＪＲ＝ＪＧ）を示している。なお、上部電極層１６４Ｂの厚さＪＢ、材質および反射率Ｓ２Ｂは、自由に設定可能である。図７では、例えば、上部電極層１６４Ｂが上部電極層１６４Ｇの構成材料と同一の材料により構成されていると共に、その上部電極層１６４Ｂの厚さＪＢが上部電極層１６４Ｇの厚さＪＧに一致していることに伴い（ＪＢ＝ＪＧ）、上部電極層１６４Ｂの反射率Ｓ２Ｂが上部電極層１６４Ｇの反射率Ｓ２Ｇに一致している場合（Ｓ２Ｂ＝Ｓ２Ｇ）を示している。この場合においても、上部電極層１６４Ｇの反射率Ｓ２Ｇが上部電極層１６４Ｒの反射率Ｓ２Ｒよりも小さくなることにより、図４を参照して説明した作用と同様の作用が得られるため、有機ＥＬディスプレイの小型化および高性能化を実現することができる。なお、図７に示した有機ＥＬディスプレイに関する上記以外の構成は、図６に示した場合と同様である。
【実施例】
【００６５】
次に、本発明に関する実施例について説明する。
【００６６】
以下の手順を経ることにより、上記実施の形態において図１〜図３を参照して説明したトップエミッション型の有機ＥＬディスプレイ（以下、単に「本発明の有機ＥＬディスプレイ」という。）を製造した。
【００６７】
すなわち、まず、ガラス製の駆動用基板１１上に、ＴＦＴ１２から平坦化絶縁層１５に至る一連の構成要素（ＴＦＴ１２，層間絶縁層１３，駆動配線１４，平坦化絶縁層１５）を順次形成して積層させたのち、その平坦化絶縁層１５のうち、後工程において赤色有機ＥＬ素子１６Ｒ、緑色有機ＥＬ素子１６Ｇおよび青色有機ＥＬ素子１６Ｂがそれぞれ形成される領域上にアルミニウム（Ａｌ）をパターン成膜することにより、ミラーとして機能する下部電極層１６１Ｒ，１６１Ｇ，１６１Ｂをそれぞれ形成した。この場合には、下部電極層１６１Ｒの厚さを５０ｎｍに設定し、下部電極層１６１Ｇ，１６１Ｂの厚さを１３ｎｍに設定することにより、下部電極層１６１Ｒの反射率Ｓ１Ｒを９２％（反射率Ｓ１Ｒの特定波長＝５５０ｎｍ）とし、下部電極層１６１Ｇ，１６１Ｂの反射率Ｓ１Ｇ，Ｓ１Ｂを７０％（反射率Ｓ１Ｇ，Ｓ１Ｂの特定波長＝５５０ｎｍ）とした。
【００６８】
続いて、下部電極層１６１Ｒ，１６１Ｇ，１６１Ｂ上にそれぞれＩＴＯをパターン成膜することにより、透明導電層１６２Ｒ，１６２Ｇ，１６２Ｂをそれぞれ形成した。
【００６９】
続いて、透明導電層１６２Ｒ，１６２Ｇ，１６２Ｂの表面をそれぞれ部分的に覆うと共に、各透明導電層１６２Ｒ，１６２Ｇ，１６２Ｂの間の空間を埋め込むようにポリイミドをパターン成膜することにより、層内絶縁層１８を形成した。この場合には、各透明導電層１６２Ｒ，１６２Ｇ，１６２Ｂの表面のうち、２ｍｍ×２ｍｍ角の中央領域（発光用領域）を露出させることにより、発光用のセルを構成した。
【００７０】
続いて、各透明導電層１６２Ｒ，１６２Ｇ，１６２Ｂおよび層内絶縁層１８上に、１０-4Ｐａ以下の真空雰囲気中において真空蒸着法を使用して成膜処理を順次施すことにより、各透明導電層１６２Ｒ，１６２Ｇ，１６２Ｂ上を連続的に経由しながら延在するように有機層１６３を形成した。この有機層１６３を形成する際には、ホール注入層１６３１（ＭＴＤＡＴＡ，１０ｎｍ厚）、ホール輸送層１６３２（α−ＮＰＤ，１０ｎｍ厚）、発光層１６３３および電子輸送層１６３４（Ａｌｑ，１５ｎｍ厚）をこの順に積層させるようにし、特に、赤色発光層１６３３Ｒ（ＤＣＭが２体積％混合されたＡｌｑ，１５ｎｍ厚）、緑色発光層１６３３Ｇ（Ａｌｑ，１５ｎｍ厚）および青色発光層１６３３Ｂ（ＢＣＰ，１５ｎｍ厚）をこの順に形成して積層させることにより発光層１６３３を形成した。
【００７１】
続いて、有機層１６３上に、マグネシウム銀合金（ＭｇＡｇ，共蒸着比（Ｍｇ：Ａｇ）＝１０：１）を成膜して下層を形成したのち、その下層上に銀（Ａｇ）を成膜して上層を形成することにより、ハーフミラーとして機能する上部電極層１６４を形成した。この場合には、下層の厚さを５ｎｍに設定し、上層の厚さを３０ｎｍに設定することにより、上部電極層１６４の反射率Ｓ２を７０％（反射率Ｓ２の特定波長＝５５０ｎｍ）とした。
【００７２】
これにより、平坦化絶縁層１５上に、赤色有機ＥＬ素子１６Ｒ（下部電極層１６１Ｒ／透明導電層１６２Ｒ／有機層１６３／上部電極層１６４）、緑色有機ＥＬ素子１６Ｇ（下部電極層１６１Ｇ／透明導電層１６２Ｇ／有機層１６３／上部電極層１６４）および青色有機ＥＬ素子１６Ｂ（下部電極層１６１Ｂ／透明導電層１６２Ｂ／有機層１６３／上部電極層１６４）が形成された。これらの赤色有機ＥＬ素子１６Ｒ、緑色有機ＥＬ素子１６Ｇおよび青色有機ＥＬ素子１６Ｂを形成する際には、特に、赤色有機ＥＬ素子１６Ｒ、緑色有機ＥＬ素子１６Ｇおよび青色有機ＥＬ素子１６Ｂにおいて、有機層１６３から発生した光（白色光）がそれぞれ赤色光ＨＲ，緑色光ＨＧ，青色光ＨＢとして放出され、すなわち波長がそれぞれ６３０ｎｍ，５３０ｎｍ，４６０ｎｍにおいて極大となるように共振条件を設定した。より具体的には、上記した関係式（２）〜（７）に示したように、赤色有機ＥＬ素子１６ＲにおいてｍＲ＝０，緑色有機ＥＬ素子１６ＧにおいてｍＧ＝０，青色有機ＥＬ素子１６ＢにおいてｍＢ＝１とするために、透明導電層１６２Ｒ，１６２Ｇ，１６２Ｂの厚さＤＲ，ＤＧ，ＤＢをそれぞれ５６ｎｍ，２８ｎｍ，１１８ｎｍに設定すると共に、有機層１６３の厚さＹＲ，ＹＧ，ＹＢを８０ｎｍに設定した。
【００７３】
最後に、上部電極層１６４上に保護層１９を形成することにより駆動パネル１０を形成したのち、接着層３０を使用して駆動パネル１０に封止パネル２０（封止用基板２１）を貼り合わせることにより、本発明の有機ＥＬディスプレイが完成した。
【００７４】
この本発明の有機ＥＬディスプレイの諸性能を調べたところ、以下の一連の結果が得られた。なお、本発明の有機ＥＬディスプレイの諸性能を調べる際には、その性能を比較評価するために、下部電極層１６１Ｇの反射率Ｓ１Ｇを下部電極層１６１Ｒの反射率Ｓ１Ｒ（Ｓ１Ｒ＝９２％）と同等とした点（Ｓ１Ｇ＝９２％）を除き、本発明の有機ＥＬディスプレイの製造手順と同様の手順を経ることにより、他の有機ＥＬディスプレイ（以下、単に「比較例の有機ＥＬディスプレイ」という。）を製造した。
【００７５】
まず、本発明の有機ＥＬディスプレイの色再現性を調べたところ、図８に示した結果が得られた。図８は本発明の有機ＥＬディスプレイの色度特性（いわゆる色度図）を表しており、「横軸」は色度ｘを示し、「縦軸」は色度ｙを示している。図８中に示した「８Ａ（実線）」は本発明の有機ＥＬディスプレイの色度特性を示し、「８Ｂ（一点鎖線）」は参考までに現行のビューファインダ用途の液晶ディスプレイ（ＬＣＤ；liquid crystal display）の色度特性を示し、「８Ｃ（二点鎖線）」は参考までに基準（単色スペクトル光）の色度特性を示している。
【００７６】
図８に示した結果から判るように、本発明の有機ＥＬディスプレイ（８Ａ）では、カラーフィルタを備えていないにもかかわらず、現行のＬＣＤ（８Ｂ）とほぼ同等の色度特性が得られた。このことから、本発明の有機ＥＬディスプレイでは、下部電極層１６１Ｇの反射率Ｓ１Ｇを下部電極層１６１Ｒの反射率Ｓ１Ｒよりも小さくすることにより、現行のビューファインダ用途のＬＣＤに匹敵する色再現性が得られることが確認された。
【００７７】
続いて、本発明の有機ＥＬディスプレイの色度特性に関する共振条件の影響を調べたところ、図９に示した結果が得られた。図９は赤色光スペクトルの共振条件依存性を表しており、「横軸」は波長λ（ｎｍ）を示し、「縦軸」はスペクトルの強度Ｓ（ａ．ｕ．）を示している。図９中の「９Ａ（実線）」および「９Ｂ（一点鎖線）」は上記した関係式（２）中のｍＲの値の差異を表しており、「９Ａ」はｍＲ＝０の場合を示し、「９Ｂ」はｍＲ＝１の場合を示している。
【００７８】
図９に示した結果から判るように、ｍＲ＝１とした場合（９Ｂ）には、赤色光に対応する波長λ＝約６３０ｎｍ近傍においてスペクトルの強度Ｓが最大となり、すなわちスペクトルがピークを示しているが、この場合には、赤色光に対応する波長λ＝約６３０ｎｍ近傍の他、青色光、すなわち上記した関係式（６）中のｍＢの値をｍＢ＝２とした場合の青色光に対応する波長λ＝約４６０ｎｍ近傍においてもスペクトルがピークを示している。このことは、ｍＲ＝１とすると、赤色光に対応するスペクトルピークだけでなく青色光に対応する不要なスペクトルピーク（高次成分）も併せて発生するため、赤色有機ＥＬ素子１６Ｒから放出される赤色光ＨＲの色度特性が上記した不要なスペクトルピークの存在に起因して劣化し、すなわち赤色光ＨＲの色度特性が所望の色度特性から外れてしまうことを表している。この不要なスペクトルピーク（高次成分）を取り除くために、例えば、カラーフィルタの光吸収現象を利用すると、ｍＲ＝１とした場合には、赤色光ＨＲの色度特性を制御する上でカラーフィルタが必要不可欠となる。これに対して、ｍＲ＝０とした場合（９Ａ）には、ｍＲ＝１とした場合とは異なり、赤色光に対応する波長λ＝約６３０ｎｍ近傍のみにおいてスペクトルがピークを示しており、青色光に対応する波長λ＝約４６０ｎｍ近傍においてスペクトルがピークを示していない。このことは、ｍＲ＝０とすると、赤色光に対応するスペクトルピークのみが発生し、青色光に対応する不要なスペクトルピークが発生しないため、赤色有機ＥＬ素子１６Ｒから放出される赤色光ＨＲの色度特性が上記した不要なスペクトルピークの存在に起因して劣化せず、すなわち赤色光ＨＲの色度特性が所望の色度特性に合致することを表している。このことから、本発明の有機ＥＬディスプレイでは、上記した関係式（２）中のｍＲの値をｍＲ＝０とすることにより、赤色有機ＥＬ素子１６Ｒから放出される赤色光ＨＲの色度特性を所望の色度特性となるように制御可能であることが確認された。
【００７９】
続いて、本発明の有機ＥＬディスプレイの色度特性に関する反射率の影響を調べたところ、図１０および図１１に示した結果が得られた。図１０および図１１は赤色光スペクトルの反射率依存性を表しており、図１０はハーフミラーとして機能する上部電極層１６４の反射率Ｓ２に基づく依存性を表し、図１１はミラーとして機能する下部電極層１６１Ｒの反射率Ｓ１Ｒに基づく依存性を表している。これらの図１０および図１１のうち、「横軸」は波長λ（ｎｍ）を示し、「縦軸」はスペクトルの強度Ｓ（ａ．ｕ．）を示している。図１０中の「１０Ａ（実線）」および「１０Ｂ（一点鎖線）」は反射率Ｓ２の差異を表しており、「１０Ａ」は反射率Ｓ２＝９０％の場合を示し、「１０Ｂ」は反射率Ｓ２＝６０％の場合を示している。また、図１１中の「１１Ａ（実線）」および「１１Ｂ（一点鎖線）」は反射率Ｓ１Ｒの差異を表しており、「１１Ａ」は反射率Ｓ１Ｒ＝９０％の場合を示し、「１１Ｂ」は反射率Ｓ１Ｒ＝６０％の場合を示している。
【００８０】
図１０に示した結果から判るように、上部電極層１６４の反射率Ｓ２をＳ２＝９０％とした場合（１０Ａ）とＳ２＝６０％とした場合（１０Ｂ）との間において、スペクトルの半値幅と共に、緑色に対応する波長域（波長λ＝５００ｎｍ〜５５０ｎｍ）におけるスペクトルの強度Ｓを比較すると、反射率Ｓ２を相対的に大きくした場合（Ｓ２＝９０％）には、スペクトルの半値幅が約５０ｎｍと小さくなると共に、緑色波長域におけるスペクトルの強度Ｓが約４％（０．０４ａ．ｕ．）と小さくなったのに対して、反射率Ｓ２を相対的に小さくした場合（Ｓ２＝６０％）には、スペクトルの半値幅が約８０ｎｍと大きくなると共に、緑色波長域におけるスペクトルの強度Ｓが約１０％（０．１ａ．ｕ．）と大きくなった。このことは、反射率Ｓ２が小さすぎると、スペクトル半値幅が大きくなり、しかも緑色波長域におけるスペクトル強度も大きくなるため、赤色有機ＥＬ素子１６Ｒから放出される赤色光ＨＲの色度特性が劣化し、すなわち赤色光ＨＲの色度特性が所望の色度特性から外れてしまうことを表している。これに対して、反射率Ｓ２が十分に大きいと、スペクトル半値幅が小さくなり、しかも緑色波長域におけるスペクトル強度も小さくなるため、赤色有機ＥＬ素子１６Ｒから放出される赤色光ＨＲの色度特性が劣化せず、すなわち赤色光ＨＲの色度特性が所望の色度特性に合致することを表している。このことから、本発明の有機ＥＬディスプレイでは、上部電極層１６４の反射率Ｓ２を十分に大きくすることにより、赤色有機ＥＬ素子１６Ｒから放出される赤色光ＨＲの色度特性を所望の色度特性となるように制御可能であることが確認された。この場合には、特に、赤色光ＨＲの色度特性を良好に制御する上で、図１０に示したスペクトル半値幅および緑色波長域におけるスペクトル強度、すなわち上部電極層１６４の反射率Ｓ２を６０％とした場合（Ｓ２＝６０％）のスペクトル半値幅および緑色波長域におけるスペクトル強度が許容範囲であるとすると、その上部電極層１６４の反射率Ｓ２を６０％以上とすることにより（Ｓ２≧６０％）、赤色光ＨＲの色度特性を良好に制御可能であることが確認された。
【００８１】
また、図１１に示した結果から判るように、下部電極層１６１Ｒの反射率Ｓ１ＲをＳ１Ｒ＝９０％とした場合（１１Ａ）とＳ１Ｒ＝６０％とした場合（１１Ｂ）との間において、スペクトルの半値幅および緑色に対応する波長域（波長λ＝５００ｎｍ〜５５０ｎｍ）におけるスペクトルの強度Ｓを比較すると、図１０を参照して上部電極層１６４の反射率Ｓ２に関して説明した場合と同様に、反射率Ｓ１Ｒを相対的に大きくした場合（Ｓ１Ｒ＝９０％）には、スペクトルの半値幅が約５０ｎｍと小さくなると共に、緑色波長域におけるスペクトルの強度Ｓが約４％（０．０４ａ．ｕ．）と小さくなったのに対して、反射率Ｓ１Ｒを相対的に小さくした場合（Ｓ１Ｒ＝６０％）には、スペクトルの半値幅が約７０ｎｍと大きくなると共に、緑色波長域におけるスペクトルの強度Ｓが約８％（０．０８ａ．ｕ．）と大きくなった。このことから、本発明の有機ＥＬディスプレイでは、下部電極層１６１Ｒの反射率Ｓ１Ｒを十分に大きくすることにより、赤色有機ＥＬ素子１６Ｒから放出される赤色光ＨＲの色度特性を所望の色度特性となるように制御可能であることが確認された。この場合には、特に、赤色光ＨＲの色度特性を良好に制御する上で、図１１に示したスペクトル半値幅および緑色波長域におけるスペクトル強度、すなわち下部電極層１６１Ｒの反射率Ｓ１Ｒを６０％とした場合（Ｓ１Ｒ＝６０％）のスペクトル半値幅および緑色波長域におけるスペクトル強度が許容範囲であるとすると、その下部電極層１６１Ｒの反射率Ｓ１Ｒを６０％以上とすることにより（Ｓ１Ｒ≧６０％）、赤色光ＨＲの色度特性を良好に制御可能であることが確認された。この赤色光ＨＲに関する許容範囲と色度特性との間の関係は、緑色光ＨＧおよび青色光ＨＢに関しても同様に得られるため、下部電極層１６１Ｇの反射率Ｓ１Ｇおよび下部電極層１６１Ｂの反射率Ｓ１Ｂを６０％以上とすることにより（Ｓ１Ｇ，Ｓ１Ｂ≧６０％）、やはり緑色光ＨＧおよび青色光ＨＢの色度特性を良好に制御可能である。
【００８２】
続いて、本発明の有機ＥＬディスプレイの色度特性と比較例の有機ＥＬディスプレイの色度特性とを再現性の観点において比較したところ、表１に示した結果が得られた。表１は、本発明の有機ＥＬディスプレイおよび比較例の有機ＥＬディスプレイの色度ばらつきを表している。表１では、本発明の有機ＥＬディスプレイ（本発明）のうちの緑色有機ＥＬ素子１６Ｇ（反射率Ｓ１Ｇ（％）＝７０％）から放出される緑色光ＨＧ（Ｇｒｅｅｎ）の色度ばらつき（色度ばらつきΔｘｙ）を示していると共に、比較例の有機ＥＬディスプレイ（比較例）のうちの緑色有機ＥＬ素子１６Ｇ（反射率Ｓ１Ｇ（％）＝９２％）から放出される緑色光ＨＧ（Ｇｒｅｅｎ）の色度ばらつき（色度ばらつきΔｘｙ）を示している。なお、表１では、参考までに、本発明の有機ＥＬディスプレイ（本発明）のうちの赤色有機ＥＬ素子１６Ｒ（反射率Ｓ１Ｒ（％）＝９２％）から放出される赤色光ＨＲ（Ｒｅｄ）の色度ばらつき（色度ばらつきΔｘｙ）も併せて示している。上記した「緑色光ＨＧの色度ばらつき」とは、緑色有機ＥＬ素子１６Ｇの光学的距離ＬＧを変動させるために有機層１６３の厚さＹＧを±５％変動させた場合に、その緑色有機ＥＬ素子１６Ｂから放出される緑色光ＨＧの色度が変動する範囲である。また、「赤色光ＨＲの色度ばらつき」は、上記した「緑色光ＨＧの色度ばらつき」に対応する赤色光ＨＲの色度の変動範囲である。
【００８３】
【表１】
2006278258.tif 000003
【００８４】
表１に示した結果から判るように、本発明の有機ＥＬディスプレイと比較例の有機ＥＬディスプレイとの間において緑色光ＨＧの色度ばらつきΔｘｙとを比較すると、その緑色光ＨＧの色度ばらつきΔｘｙは、下部電極層１６１Ｇの反射率Ｓ１Ｇが下部電極層１６１Ｒの反射率Ｓ１Ｒと同等である比較例の場合（Ｓ１Ｇ＝Ｓ１Ｒ，Δｘｙ＝±０．１０８）よりも、下部電極層１６１Ｇの反射率Ｓ１Ｇが下部電極層１６１Ｒの反射率Ｓ１Ｒよりも小さい本発明の場合（Ｓ１Ｇ＜Ｓ１Ｒ，Δｘｙ＝±０．０８６）において小さくなった。このことは、緑色有機ＥＬ素子１６Ｇのうちの下部電極層１６１Ｇの反射率Ｓ１Ｇに関して、その反射率Ｓ１Ｇが十分に小さくなると、緑色光ＨＧの色度がばらつきにくくなることを表している。なお、参考までに説明しておくと、本発明の有機ＥＬディスプレイに関する赤色光ＨＲの色度ばらつきΔｘｙ（Δｘｙ＝±０．０１６）は、緑色光ＨＧの色度ばらつきΔｘｙ（Δｘｙ＝±０．０８６）よりも著しく小さくなった。すなわち、緑色光ＨＧの色度ばらつきΔｘｙが赤色光ＨＲの色度ばらつきΔｘｙよりも著しく大きくなる傾向があることから明らかなように、赤色光ＨＲ、緑色光ＨＧおよび青色光ＨＢの合成光である画像表示用の光Ｈの色度には、赤色光ＨＲの色度ばらつきΔｘｙよりも緑色光ＨＧの色度ばらつきΔｘｙが大きく影響を及ぼす傾向にあるため、その画像表示用の光Ｈの色度を良好に制御するためには、主に、緑色光ＨＧの色度ばらつきΔｘｙを可能な限り低減させることが重要であることが導き出される。このことから、本発明の有機ＥＬディスプレイでは、下部電極層１６１Ｇの反射率Ｓ１Ｇを下部電極層１６１Ｒの反射率Ｓ１Ｒよりも小さくすることにより、緑色光ＨＧの色度をばらつきにくくし得ることが確認された。
【００８５】
続いて、本発明の有機ＥＬディスプレイの色度特性に関する反射率の詳細な影響を調べたところ、表２に示した結果が得られた。表２は、赤色光ＨＲの色度の反射率依存性を表しており、上部電極層１６４の「反射率Ｓ２」を６３％，８０％，８８％，９０％の４段階に渡って変化させた場合における「色度ｘ」および「色度ｙ」を示している。
【００８６】
【表２】
2006278258.tif 000004
【００８７】
表２に示した結果から判るように、赤色有機ＥＬ素子１６Ｒのうちの上部電極層１６４の反射率Ｓ２を６３％から９０％まで変化させたところ、色度ｘおよび色度ｙはいずれも反射率Ｓ２が大きくなるにしたがって連続的に変化し、より具体的には色度ｘが次第に大きくなると共に、色度ｙが次第に小さくなった。このことは、反射率Ｓ２が変化すると、赤色光ＨＲの色度（色度ｘおよび色度ｙ）が変化し得ることを表している。このことから、本発明の有機ＥＬディスプレイでは、赤色有機ＥＬ素子１６Ｒのうちの上部電極層１６４の反射率Ｓ２を変化させることにより、赤色光ＨＲの色度を制御し得ることが確認された。
【００８８】
最後に、表２に示した結果に基づいて、ハーフミラーとして機能する上部電極層１６４の反射率Ｓ２の最適範囲を調べたところ、図１２に示した結果が得られた。図１２は赤色光ＨＲの色度の反射率依存性を表しており、「横軸」は反射率Ｓ２（％）を示し、「縦軸」は赤色光ＨＲの色度ｙを示している。すなわち、図１２に示したグラフは、表２に示した反射率Ｓ２および色度ｙをプロットしたものである。
【００８９】
図１２に示した結果から判るように、赤色光ＨＲの色度ｙは、反射率Ｓ２が大きくなるにしたがって次第に小さくなり、特に、反射率Ｓ２＝約８８％近傍において偏極点（下降傾きが大きく変化する点）を有するように曲線を描いた。この場合には、赤色光ＨＲの色度特性を確保する上で、色度ｙの許容範囲が０．３６以下であり、さらに色度ｙの適正範囲が０．３５以下であるとすると、反射率Ｓ２が約７０％以上の範囲（Ｓ２≧約７０％）において色度ｙの許容範囲を満たし、さらに反射率Ｓ２が約８０％以上の範囲（Ｓ２≧約８０％）において色度ｙの適正範囲を満たした。このことから、本発明の有機ＥＬディスプレイでは、さらに、上部電極層１６４の反射率Ｓ２を約７０％以上（Ｓ２≧７０％）、好ましくは約８０％以上（Ｓ２≧８０％）とすることにより、赤色光ＨＲの色度特性を確保し得ることが確認された。
【００９０】
以上、実施の形態および実施例を挙げて本発明の有機発光装置を説明したが、本発明は上記実施の形態および実施例において説明した態様に限定されず、上記したように、緑色有機ＥＬ素子１６Ｇのうちの下部電極層１６１Ｇの反射率Ｓ１Ｇを赤色有機ＥＬ素子１６Ｒのうちの下部電極層１６１Ｒの反射率Ｓ１Ｒよりも小さくすることにより、有機発光装置の小型化および高性能化を実現することが可能な限りにおいて、その有機発光装置の構造は自由に変更可能である。
【００９１】
具体的には、例えば、上記実施の形態および実施例では、共振特性に寄与する光学的距離ＬＲ，ＬＧ，ＬＢを赤色有機ＥＬ素子１６Ｒ、緑色有機ＥＬ素子１６Ｇおよび青色有機ＥＬ素子１６Ｂの間において互いに異ならせるために、下部電極層１６１Ｒ，１６２Ｇ，１６１Ｂと有機層１６３との間に、ＩＴＯなどの透明導電性材料により構成された透明導電層１６２Ｒ，１６２Ｇ，１６２Ｂを設けるようにしたが、必ずしもこれに限られるものではない。具体的には、例えば、透明導電層１６２Ｒ，１６２Ｇ，１６２Ｂに代えて、酸化ケイ素（ＳｉＯ2 ）などの絶縁性材料により構成された絶縁層を設けるようにしてもよい。この絶縁層を設けた場合においても、光学的距離ＬＲ，ＬＧ，ＬＢを赤色有機ＥＬ素子１６Ｒ、緑色有機ＥＬ素子１６Ｇおよび青色有機ＥＬ素子１６Ｂの間において互いに異ならせるために、厚さＤＲ，ＤＧ，ＤＢを互いに異ならせなければならないことは、言うまでもない。この場合においても、上記実施の形態および実施例と同様の効果を得ることができる。
【００９２】
また、例えば、上記実施の形態および変形例では、図３に示したように、ホール注入層１６３１、ホール輸送層１６３２、発光層１６３３および電子輸送層１６３４がこの順に積層された４層構造を有するように有機層１６３を構成すると共に、赤色発光層１６３３Ｒ、緑色発光層１６３３Ｇおよび青色発光層１６３３Ｂがこの順に積層された３層構造を有するように発光層１６３３を構成したが、必ずしもこれに限られるものではなく、それらの有機層１６３および発光層１６３３の積層構造（積層数や各層の材料（機能）など）は自由に変更可能である。
【産業上の利用可能性】
【００９３】
本発明に係る有機発光装置は、例えばビューファインダなどの小型の有機ＥＬディスプレイに適用することが可能である。
【図面の簡単な説明】
【００９４】
【図１】本発明の一実施の形態に係る有機ＥＬディスプレイの断面構成を表す断面図である。
【図２】図１に示した有機ＥＬディスプレイのうちの主要部（有機ＥＬ素子）断面構成を拡大して模式的に表す断面図である。
【図３】図１に示した有機ＥＬディスプレイのうちの他の主要部（有機層）の断面構成を拡大して模式的に表す断面図である。
【図４】図２に示した有機ＥＬディスプレイ（有機ＥＬ素子）の構成に関する変形例を表す断面図である。
【図５】本発明の一実施の形態に係る有機ＥＬディスプレイの構成に関する変形例を表す断面図である。
【図６】図５に示した有機ＥＬディスプレイのうちの主要部（有機ＥＬ素子）の断面構成を拡大して模式的に表す断面図である。
【図７】図６に示した有機ＥＬディスプレイ（有機ＥＬ素子）の構成に関する変形例を表す断面図である。
【図８】本発明の有機ＥＬディスプレイの色度特性を表す図である。
【図９】本発明の有機ＥＬディスプレイに関する赤色光スペクトルの共振条件依存性を表す図である。
【図１０】本発明の有機ＥＬディスプレイに関する赤色光スペクトルの反射率（上部電極層の反射率）依存性を表す図である。
【図１１】本発明の有機ＥＬディスプレイに関する赤色光スペクトルの反射率（下部電極層の反射率）依存性を表す図である。
【図１２】本発明の有機ＥＬディスプレイに関する赤色光の色度の反射率依存性を表す図である。
【符号の説明】
【００９５】
１０…駆動パネル、１１…駆動用基板、１２…ＴＦＴ、１３…層間絶縁層、１４…駆動配線、１５…平坦化絶縁層、１６…有機ＥＬ素子、１６Ｂ…青色有機ＥＬ素子、１６Ｇ…緑色有機ＥＬ素子、１６Ｒ…赤色有機ＥＬ素子、１７…補助配線、１８…層内絶縁層、１９…保護層、２０…封止パネル、２１…封止用基板、３０…接着層、１６１Ｂ，１６１Ｇ，１６１Ｒ…下部電極層、１６２Ｂ，１６２Ｇ，１６２Ｒ…透明導電層、１６３…有機層、１６４，１６４Ｂ，１６４Ｇ，１６４Ｒ…上部電極層、１６３１…ホール注入層、１６３２…ホール輸送層、１６３３…発光層、１６３３Ｂ…青色発光層、１６３３Ｇ…緑色発光層、１６３３Ｒ…赤色発光層、１６３４…電子輸送層、ＤＢ，ＪＢ，ＫＢ，ＹＢ，ＤＧ，ＪＧ，ＫＧ，ＹＧ，ＤＲ，ＪＲ，ＫＲ，ＹＲ…厚さ、Ｈ…画像表示用の光、ＨＢ…青色光、ＨＧ…緑色光、ＨＲ…赤色光、ＬＢ，ＬＧ，ＬＲ…光学的距離、ＮＢ，ＮＧ，ＮＲ…発光点、ＰＢ１，ＰＢ２，ＰＧ１，ＰＧ２，ＰＲ１，ＰＲ２…端面。
【図１】
2006278258.tif 000005
【図２】
2006278258.tif 000006
【図３】
2006278258.tif 000007
【図４】
2006278258.tif 000008
【図５】
2006278258.tif 000009
【図６】
2006278258.tif 000010
【図７】
2006278258.tif 000011
【図８】
2006278258.tif 000012
【図９】
2006278258.tif 000013
【図１０】
2006278258.tif 000014
【図１１】
2006278258.tif 000015
【図１２】
2006278258.tif 000016